(57)【要約】【課題】既設配管とコルゲート管とのクリアランスが少なく、曲がりが多い配管であっても、また、コルゲート管の管径が内外面形状に関係なく、スムースにコルゲート管を牽引することができる既設配管へのコルゲート管の挿入工法を提供することを目的としている【解決手段】線状材を一方が開口した筒状あるいは円錐状に編むことによって形成された把持部を有し、この把持部が伸長されるとその内径が縮径する把持部材を、把持部の開口端以外の部分で前記牽引用線状材に固定し、前記把持部の開口端からコルゲート管の牽引方向の先端部を把持部内に挿入したのち、把持部を伸長させて縮径させ、把持部内壁面をコルゲート管の外周面に圧接係止させてコルゲート管を把持部材の把持部で把持した状態で牽引用線状材を牽引することを特徴としている。【選択図】      図２
2005291257.tif 000002
【特許請求の範囲】
【請求項１】
既設配管の一方の開口端から他方の開口端まで挿通された牽引用線状材に、樹脂製のコルゲート管の先端を既設配管の一方の開口端側で固定したのち、既設配管の他方の開口端側から前記牽引用線状材を牽引する牽引動作と、既設配管の一方の開口端側からコルゲート管を既設配管内に押し込む押し込み動作とを行い、既設配管内にコルゲート管を挿入する既設配管へのコルゲート管の挿入工法において、線状材を一方が開口した筒状あるいは円錐状に編むことによって形成された把持部を有し、この把持部が伸長されるとその内径が縮径する把持部材を、把持部の開口端以外の部分で前記牽引用線状材に固定し、前記把持部の開口端からコルゲート管の牽引方向の先端部を把持部内に挿入したのち、把持部を伸長させて縮径させ、把持部内壁面をコルゲート管の外周面に圧接係止させてコルゲート管を把持部材の把持部で把持した状態で牽引用線状材を牽引することを特徴とする既設配管へのコルゲート管の挿入工法。
【請求項２】
コルゲート管の少なくとも把持部によって把持される部分で、コルゲート管より可撓性の大きい芯材をコルゲート管内に配置させた状態でコルゲート管を把持部で把持する請求項１に記載の既設配管へのコルゲート管の挿入工法。
【請求項３】
コルゲート管の把持部によって把持される部分の管壁を管軸方向に複数箇所で切断して、複数の短冊状部を形成し、この短冊状部を芯材の縮径部の表面に沿わせた状態で、コルゲート管を把持部で把持する請求項２に記載の既設配管へのコルゲート管の挿入工法。
【請求項４】
芯材が密着コイルスプリングである請求項２または請求項３に記載の既設配管へのコルゲート管の挿入工法。
【請求項５】
芯材が牽引方向に向かって徐々に縮径している請求項２〜請求項４のいずれかに記載のコルゲート管の挿入工法。
【請求項６】
把持状態で把持部の外周面を可撓性を有する保護被膜で被覆する請求項１〜請求項５のいずれかに記載の既設配管へのコルゲート管の挿入工法。
【発明の詳細な説明】
【技術分野】
【０００１】
本発明は、老朽化した既設配管の内部に新たな管路としてコルゲート管を挿入して更新する工法に関する。
【背景技術】
【０００２】
ガスや水道の既設配管が老朽化した場合、地面等を掘削して配管を新しく交換する代わりに、既設配管内に可撓性のあるコルゲート管を挿入し、このコルゲート管を新しい配管として使用する方法が行われている。
【０００３】
この既設配管へのコルゲート管の挿入工法としては、既設配管の一方の開口端から他方の開口端まで挿通された牽引用の線状材に、樹脂製のコルゲート管の先端を既設配管の一方の開口端側で固定したのち、既設配管の他方の開口端側から前記線状材を牽引する牽引動作と、既設配管の一方の開口端側からコルゲート管を既設配管内に押し込む押し込み動作とを行い、既設配管内にコルゲート管を挿入する工法（たとえば、特許文献１参照）が既に提案されている。
また、この工法では、コルゲート管の牽引は、まず、コルゲート管を挿入しようとする既設配管の一端から他端に向かって牽引用ワイヤロープを挿入し、コルゲート管の内壁面に形成された凹溝に牽引治具の凸部を係止させた状態で牽引治具に牽引用ワイヤロープの一端を固定し、他端から牽引するようにしている。
【０００４】
【特許文献１】特開2002-188755号公報
【発明の開示】
【発明が解決しようとする課題】
【０００５】
しかし、上記のような牽引方法では、コルゲート管の内面の凹凸形状によって治具の形状が大いに制約される。
すなわち、牽引治具は、凸部がコルゲート管の凹溝に入り込む形状とする必要があるが、このとき凸部の大きさが小さい場合には牽引によって牽引治具が容易に抜けてしまう。特に曲がり部などでコルゲート管が伸縮変形をするときに抜けやすい。また、抜けなくてもコルゲート管が拡径しようとするために、コルゲート管の外径が拡大し、摩擦抵抗が増加する恐れがある。
【０００６】
これらを防ぐために、牽引治具とコルゲート管との嵌合長さを長くすれば、曲がり部での通過が困難になる。特に挿入後の配管の圧力損失の増加を小さくするために、コルゲート管の内外径をできるだけ大きくした場合には、牽引治具の内径も大きくなり、場合によっては挿入が不可能になる。
【０００７】
本発明は、上記事情に鑑みて、既設配管とコルゲート管とのクリアランスが少なく、曲がりが多い配管であっても、また、コルゲート管の管径が内外面形状に関係なく、スムースにコルゲート管を牽引することができる既設配管へのコルゲート管の挿入工法を提供することを目的としている。
【課題を解決するための手段】
【０００８】
上記目的を達成するために、本発明の請求項１に記載の既設配管へのコルゲート管の挿入工法（以下、「請求項１の挿入工法」と記す）は、既設配管の一方の開口端から他方の開口端まで挿通された牽引用線状材に、樹脂製のコルゲート管の先端を既設配管の一方の開口端側で固定したのち、既設配管の他方の開口端側から前記牽引用線状材を牽引する牽引動作と、既設配管の一方の開口端側からコルゲート管を既設配管内に押し込む押し込み動作とを行い、既設配管内にコルゲート管を挿入する既設配管へのコルゲート管の挿入工法において、線状材を一方が開口した筒状あるいは円錐状に編むことによって形成された把持部を有し、この把持部が伸長されるとその内径が縮径する把持部材を、把持部の開口端以外の部分で前記牽引用線状材に固定し、前記把持部の開口端からコルゲート管の牽引方向の先端部を把持部内に挿入したのち、把持部を伸長させて縮径させ、把持部内壁面をコルゲート管の外周面に圧接係止させてコルゲート管を把持部材の把持部で把持した状態で牽引用線状材を牽引することを特徴としている。
【０００９】
本発明の請求項２に記載の既設配管へのコルゲート管の挿入工法（以下、「請求項２の挿入工法」と記す）は、請求項１の挿入工法において、コルゲート管の少なくとも把持部によって把持される部分で、コルゲート管より可撓性の大きい芯材をコルゲート管内に配置させた状態でコルゲート管を把持部で把持することを特徴としている。
芯材は、特に限定されないが、コルゲート管の全長にわたってコルゲート管内に挿入されていることが好ましい。
【００１０】
本発明の請求項３に記載の既設配管へのコルゲート管の挿入工法（以下、「請求項３の挿入工法」と記す）は、請求項２の挿入工法において、コルゲート管の把持部によって把持される部分の管壁を管軸方向に複数箇所で切断して、複数の短冊状部を形成し、この短冊状部を芯材の縮径部の表面に沿わせた状態で、コルゲート管を把持部で把持することを特徴としている。
【００１１】
本発明の請求項４に記載の既設配管へのコルゲート管の挿入工法（以下、「請求項４の挿入工法」と記す）は、請求項２または請求項３の挿入工法において、芯材が密着コイルスプリングであることを特徴としている。
密着コイルスプリングとは、無負荷状態では、コイルを構成するワイヤの各ループの壁面が密着しており、軸方向に圧縮されてもその長さが略変わらず、径方向に力を受けても、少しの力では直径が略変わらないものをいう。
【００１２】
本発明の請求項５に記載の既設配管へのコルゲート管の挿入工法（以下、「請求項５の挿入工法」と記す）は、請求項２〜請求項４のいずれかの挿入工法において、芯材が牽引方向に向かって徐々に縮径していることを特徴としている。
【００１３】
本発明の請求項６に記載の既設配管へのコルゲート管の挿入工法（以下、「請求項５の挿入工法」と記す）は、請求項１〜請求項５のいずれかの挿入工法において、把持状態で把持部の外周面を可撓性を有する保護被膜で被覆することを特徴としている。
請求項６の挿入工法のおいて、保護被膜としては、特に限定されないが、ゴム、エラストマー、ポリ塩化ビニル樹脂、４フッ化エチレン樹脂など、屈曲部で曲がりやすさを阻害しない材質のものが好ましい。また、形状としては接続部の可撓性を損なわない程度の肉厚で、牽引時にはがれてしまわない程度のものであればよく、テープ状のものを巻き付けたり、円筒状のものをかぶせてもよい。
【００１４】
本発明において、把持部を構成する線状材および牽引用線状材としては、特に限定されないが、ワイヤ、ワイヤロープ、樹脂製ロープ等が挙げられ、ワイヤロープが好ましい。
本発明の挿入工法に用いられるコルゲート管は、一層のものでも構わないが、断面波形をした蛇腹状の外層管状部と、この外層管状部に内嵌された状態で、外層管状部と同じピッチの断面波形をした蛇腹状の内層管状部とを有し、外層管状部と、内層管状部とが、断面波形の谷部にあたる部分のみで一体化されている合成樹脂製二層コルゲート管を用いることが好ましい。
【発明の効果】
【００１５】
本発明にかかる既設配管へのコルゲート管の挿入工法は、以上のように、線状材が一方が開口した筒状あるいは円錐状に編まれた把持部を有し、この把持部が伸長されるとその内径が縮径する把持部材を、把持部の開口端以外の部分で前記牽引用線状材に固定し、前記把持部の開口端からコルゲート管の牽引方向の先端部を把持部内に挿入したのち、把持部を伸長させて縮径させ、把持部内壁面をコルゲート管の外周面に圧接係止させてコルゲート管を把持部材の把持部で把持した状態で牽引用線状材を牽引するようにしたので、牽引時の引っ張り力が増加するほど、把持部材の把持部が伸長状態になって縮径し、把持部材の把持部がコルゲート管外面に圧接係止され、コルゲート管外面への把持力が増大する。したがって、引っ張り力が大きくなっても把持部材がコルゲート管からはずれたりすることがなく、スムースに牽引動作を行うことができる。
【００１６】
また、把持部材が線状材を筒状に編むことによって形成されているので、把持部材自体が可撓性を備えている。したがって、コルゲート管の把持部および把持部材は少ない抵抗で既設配管の曲がり部を通過することができる。
【００１７】
請求項２の挿入工法は、コルゲート管の少なくとも把持部によって把持される部分で、コルゲート管より可撓性の大きい芯材をコルゲート管内に配置させた状態でコルゲート管を把持部で把持するようにしたので、コルゲート管の壁面が、把持部材の把持部と、芯材との間に挟まれて、コルゲート管がよりしっかりと把持部材の把持部によって把持される。しかも、芯材が、コルゲート管より可撓性の大きいので、既設配管の曲がり部に沿って容易に変形し、少ない抵抗で既設配管の曲がり部を通過することができる。
【００１８】
請求項３の挿入工法は、コルゲート管の把持部によって把持される部分の管壁を管軸方向に複数箇所で切断して、複数の短冊状部を形成し、この短冊状部を芯材の縮径部の表面に沿わせた状態で、コルゲート管を把持部で把持するようにしたので、コルゲート管の把持部材によって把持される部分の内径と、芯材の外径とに差があっても、コルゲート管の把持部において、コルゲート管と芯材との間に隙間がない状態で把持部材によって把持ができ、よりしっかりとした把持状態が得られる。
【００１９】
請求項４の挿入工法は、芯材が密着コイルスプリングであるので、無負荷状態では、コイルを構成するワイヤの各ループの壁面が密着しており、軸方向に圧縮されてもその長さが略変わらず、径方向に力を受けても、少しの力では直径が略変わらない。したがって、この密着コイルスプリングをコルゲート管の全長にわたって挿入しておくと、押し込み動作時に、密着コイルスプリングがコルゲート管の圧縮方向の変形および半径方向の変形を抑えることができる。
【００２０】
請求項５の挿入工法は、芯材が牽引方向に向かって徐々に縮径しているので、コルゲート管をこの縮径部に沿うように変形させれば、曲がり部や既設管路とのクリアランスが小さい場合でも、牽引の抵抗を減少することができる。
【００２１】
請求項６の挿入工法は、把持状態で把持部の外周面を可撓性を有する保護被膜で被覆するようにしたので、既設管との摩擦抵抗を低下させることができる。また、コルゲート管の端部に短冊状部分を形成した場合、把持部の網目から短冊状部分が飛び出ることも防止できる。
【発明を実施するための最良の形態】
【００２２】
以下に、本発明を、その実施の形態をあらわす図面を参照しつつ詳しく説明する。
図１〜図３は、本発明にかかる既設配管へのコルゲート管の挿入工法の１つの実施の形態を工程順にあらわしている。
【００２３】
この挿入工法は、図１に示すように、まず、一端が徐々に縮径している縮径部１１ａを備える芯材としての密着コイルスプリング１１をワイヤロープ１２を内部に挿入した状態でコルゲート管２の内部に挿入する。
また、ワイヤロープ１２の縮径部１１ａ側から延出した部分に把持部材１３を固定しておく。
【００２４】
把持部材１３は、図１に示すように、細いワイヤロープが円錐状に編まれて形成され、円錐の底面側が開口した把持部１３ａを有し、把持部１３ａが円錐の中心軸方向に伸長されると縮径して、コルゲート管２の周壁に密着してコルゲート管２の外壁をしっかりと把持するようになっていて、把持部１３ａの円錐の頂部で、ワイヤロープ１２に固定される。
つぎに、図２に示すように、コルゲート管２の先端部をカッター等によって放射状に管軸方向に４箇所以上で切断して複数の把短冊状部分２１を形成する。
【００２５】
そして、図２および図３に示すように、把短冊状部分２１をコルゲート管２の中心軸方向を撓ませて、密着コイルスプリング１１の縮径部１１ａの外面に沿わせたのち、把持部材１３の把持部１３ａの開口を拡げて、コルゲート管２の外側から被せたのち、把持部１３ａを円錐の中心軸方向に伸長させて、開口部を縮径させ、把持部１３ａによって、コルゲート管２の把短冊状部分２１を密着コイルスプリング１１の縮径部１１ａとの間でしっかりと挟み込み、把持状態にする。
続いて、図４に示すように、保護被膜となる塩化ビニル樹脂粘着テープ３を把持部１３ａの上から螺旋状に巻き付けたのち、塩化ビニル樹脂粘着テープ３の上からグリスを塗布する。
【００２６】
なお、図３に示すように、コルゲート管２の他端とコイルスプリング１１とを、コイルスプリンブ１１の他端とワイヤロープ１２とを、それぞれ固定部材１４、１５によって固定しておくことが好ましい。
このようにして、コルゲート管２に把持部材１３を装着したのち、図示していないが、まず、先導糸の先端に落下傘状の風圧受け具を取り付け、風圧受け具を既設配管の一端に挿入したのち、コンプレッサ等で圧縮空気を既設配管の一端から他端に向けて送り、風圧受け具を圧縮空気によって既設配管の他端に送ることによって、先導糸を既設配管内に通す。
【００２７】
そして、先導糸の一端に牽引用ワイヤロープを取り付け、先導糸の他端を引っ張り、既設配管に牽引用ワイヤロープを通す。
つぎに、既設配管の一方の端部からでた牽引用ワイヤロープの一端を、縮径部１１ａから延出したワイヤロープ１２の先端に固定し、図５に示すように、既設配管Ｐの一端から作業者Ａがコルゲート管２を既設配管Ｐ内に送り込む動作をしたのち、既設配管Ｐの他端から作業者Ｂが牽引用ワイヤロープＲを牽引する動作を行うという作業を繰り返し、コルゲート管２を既設配管Ｐに挿入する。
【００２８】
そして、既設配管Ｐの他端からコルゲート管２の先端部がある程度突出すれば、塩化ビニル樹脂粘着テープ３を取り除き、把持部材１３を取り外し、必要に応じて、コルゲート管２の他端とコイルスプリング１１との固定を解除したのち、ワイヤロープ１２を持って、牽引側から密着コイルスプリング１１を引っ張り、コルゲート管２の内部から引き出すようになっている。
【００２９】
本発明にかかる既設配管へのコルゲート管の挿入工法は、上記の実施の形態に限定されない。たとえば、上記の実施の形態では、芯材となる密着コイルスプリングがコルゲート管の全長にわたってコルゲート管内に挿入されていたが、芯材は、把持部材の把持部で把持される部分のみ、コルゲート管内に挿入されていても構わない。
【実施例１】
【００３０】
図１に示すような把持部材１３をコルゲート管２の先端を把持部１３ａで把持するように装着するとともに、把持部材の先端に牽引用ワイヤロープを接続して、牽引用ワイヤロープＲを牽引する牽引する牽引動作と、コルゲート管２を押し込む押し込み動作とを繰り返し、25Aの鋼管製配管内にコルゲート管２を挿入したところ、エルボが５個ある配管であっても、問題なくコルゲート管２を挿入することができた。
【実施例２】
【００３１】
コルゲート管の先端を４カ所切り、把短冊状部分２１を形成するとともに、図３および図４に示すように密着コイルスプリング１１の縮径部１１ａに短冊状部分を沿わせた状態で把持部材１３の把持部１３ａで把短冊状部分２１を把持した状態で、上記実施例１と同様にして、25Aの鋼管製配管内にコルゲート管２を挿入したところ、エルボ４個とベンド４個を含む配管に挿通することができたが、把短冊状部分２１の一部が、把持部１３ａの網目部分から飛び出していた。
【実施例３】
【００３２】
実施例２のようにして把持部材１３の把持部１３ａで把短冊状部分２１を把持したのち、図５に示すように、塩化ビニル樹脂粘着テープ３を把持部１３ａの上から螺旋状に巻き付けたのち、塩化ビニル樹脂粘着テープ３の上からグリスを塗布した状態で、上記実施例２と同様にして、25Aの鋼管製配管内にコルゲート管２を挿入したところ、エルボ４個とベンド４個を含む配管に挿通することかができた。
また、挿入後、把持部付近の外観を調べたが、先端の塩化ビニル樹脂粘着テープ３にはこすれによる傷があるが、把持部材１３およびコルゲート管２には損傷がなかった。また引き込み荷重も減少していた。
【図面の簡単な説明】
【００３３】
【図１】本発明にかかる既設配管へのコルゲート管の挿入工法の１つの実施の形態を工程順にあらわす図であって、コルゲート管に密着コイルスプリングを挿入した状態の斜視図である。
【図２】コルゲート管の先端部に把持部材を装着した状態の斜視図である。
【図３】コルゲート管の先端部に把持部材を装着した状態の断面図である。
【図４】保護被膜としての塩化ビニル樹脂粘着テープを把持部の上から螺旋状に巻き付けた状態をあらわす斜視図である。
【図５】本発明にかかる既設配管へのコルゲート管の挿入工法の押し込み動作と牽引動作とを説明する模式図である。
【符号の説明】
【００３４】
Ｐ  既設配管
Ｒ  牽引用ワイヤロープ（牽引用線状材）
２  コルゲート管
２１  短冊状部分
３  塩化ビニル樹脂粘着テープ（保護被膜）
１１  密着コイルスプリング（芯材）
１１ａ  縮径部
１３  把持部材
１３ａ  把持部
【図１】
2005291257.tif 000003
【図２】
2005291257.tif 000004
【図３】
2005291257.tif 000005
【図４】
2005291257.tif 000006
【図５】
2005291257.tif 000007